(57)【要約】  平行平板であるレンズ基板ＬＳと、レンズ基板ＬＳの物体側基板面および像側基板面の少なくとも一方の基板面に連なる正パワーまたは負パワーを有するレンズＬと、を備えるレンズブロックＢＫを、少なくとも３つ以上含む撮像レンズＬＮにおいて、最も物体側に位置する第１レンズブロックＢＫ１は正パワーを有し、その第１レンズブロックＢＫ１の像側に位置する第２レンズブロックＢＫ２は負パワーを有し、所定の条件式が満たされることで、簡易かつ低コストで製造され、さらに、コンパクトで高性能を有する撮像レンズを提供する。
2009104669.tif 000002
【特許請求の範囲】
【請求項１】
平行平板であるレンズ基板と、前記レンズ基板の物体側基板面および像側基板面の少なくとも一方の基板面に連なる正パワーまたは負パワーを有するレンズと、を備えるレンズブロックが、少なくとも３つ以上含まれ、
前記レンズブロックは、前記レンズ基板とは異なる材質で形成される前記レンズを含み、
最も物体側に位置する前記レンズブロックである第１レンズブロックは、正パワーを有し、
前記レンズブロックである第２レンズブロックは、前記第１レンズブロックの像側に位置するとともに、負パワーを有し、
下記条件式（Ｇ１）が満たされる撮像レンズ。
０．７＜ｆ[BK1]／ｆ[all]＜１．０  …  （Ｇ１）
ただし、
ｆ[BK1] ：第１レンズブロックの合成焦点距離
ｆ[all] ：撮像レンズ全体の合成焦点距離
【請求項２】
前記第１レンズブロックでは、前記レンズ基板である第１レンズ基板が含まれ、かつ、前記レンズであるレンズＬ[LS1o]が前記第１レンズ基板の物体側基板面に連なるとともに、前記レンズであるレンズＬ[LS1m]が前記第１レンズ基板の像側基板面に連なっており、
下記条件式（Ｇ２）が満たされる請求の範囲第１項に記載の撮像レンズ。
１．０＜（ｒ[L[LS1m]m]＋ｒ[L[LS1o]o]）／（ｒ[L[LS1m]m]−ｒ[L[LS1o]o]）＜４．０  …（Ｇ２）
ただし、
ｒ[L[LS1m]m]  ：レンズＬ[LS1m]における像側レンズ面の曲率半径
ｒ[L[LS1o]o]  ：レンズＬ[LS1o]における物体側レンズ面の曲率半径
【請求項３】
前記第１レンズブロックでは、前記レンズ基板である第１レンズ基板が含まれ、かつ、前記レンズであるレンズＬ[LS1o]が前記第１レンズ基板の物体側基板面に連なり、
下記条件式（Ｇ３）が満たされる請求の範囲第１項または第２項に記載の撮像レンズ。
４０＜ν[L[LS1o]] …  （Ｇ３）
ただし、
ν[L[LS1o]] ：レンズＬ[LS1o]のアッベ数
【請求項４】
下記条件式（Ｇ５）が満たされる請求の範囲第１項から第３項のいずれか１項に記載の撮像レンズ。
０．２＜｜ｆ[BK1]／ｆ[BK2]｜＜０．６  …  （Ｇ５）
ただし、
ｆ[BK1] ：第１レンズブロックの合成焦点距離
ｆ[BK2] ：第２レンズブロックの合成焦点距離
【請求項５】
前記第２レンズブロックでは、前記レンズ基板である第２レンズ基板が含まれ、かつ、前記レンズであるレンズＬ[LS2o]が前記第２レンズ基板の物体側基板面に連なり、
前記レンズＬ[LS2o]の物体側レンズ面は、物体側凹面であり、
下記条件式（Ｇ６）が満たされる請求の範囲第１項から第４項のいずれか１項に記載の撮像レンズ。
０．４＜｜ｒ[L[LS2o]o]／ｆ[all]｜＜２．０  …（Ｇ６）
ただし、
ｒ[L[LS2o]o]  ：レンズＬ[LS2o]における物体側レンズ面の曲率半径
ｆ[all] ：撮像レンズ全体の合成焦点距離
【請求項６】
最も像側に位置する前記レンズブロックに含まれる前記レンズ基板の像側基板面には、前記レンズが連なり、
その連なるレンズの像側レンズ面は、像側凹面であり、レンズ面内に変曲点を有する請求の範囲第１項から第５項のいずれか１項に記載の撮像レンズ。
【請求項７】
前記レンズブロックである第３レンズブロックは、前記第２レンズブロックの像側に位置しており、
下記条件式（Ｇ７）が満たされる請求の範囲第１項から第６項のいずれか１項に記載の撮像レンズ。
２．０＜ｆ[BK3]／ｆ[all]＜１５．０  …  （Ｇ７）
ただし、
ｆ[BK3] ：第３レンズブロックの合成焦点距離
ｆ[all] ：撮像レンズ全体の合成焦点距離
【請求項８】
前記レンズブロックが、合計で３つ含まれる請求の範囲第１項から第７項のいずれか１項に記載の撮像レンズ。
【請求項９】
前記第１レンズブロックでは、前記レンズ基板である第１レンズ基板が含まれ、
光量を規制する開口絞りが、前記第１レンズ基板の物体側基板面および像側基板面のいずれか一方の基板面に形成される請求の範囲第１項から第８項のいずれか１項に記載の撮像レンズ。
【請求項１０】
光量を規制する開口絞りが、前記第１レンズブロックよりも物体側または像側に位置する請求の範囲第１項から第８項のいずれか１項に記載の撮像レンズ。
【請求項１１】
前記レンズ基板となる平行平板の厚みが、全て同じ厚みである請求の範囲第１項から第１０項のいずれか１項に記載の撮像レンズ。
【請求項１２】
前記レンズ基板がガラスで形成される請求の範囲第１項から第１１項のいずれか１項に記載の撮像レンズ。
【請求項１３】
前記レンズが樹脂で形成される請求の範囲第１項から第１２項のいずれか１項に記載の撮像レンズ。
【請求項１４】
前記レンズとなる樹脂には、３０ｎｍ以下の粒径である無機微粒子が分散する請求の範囲第１３項に記載の撮像レンズ。
【請求項１５】
前記樹脂は、硬化型樹脂である請求の範囲第１３項または第１４項に記載の撮像レンズ。
【請求項１６】
請求の範囲第１項から第１５項のいずれか１項に記載の撮像レンズと、
前記撮像レンズを通過する光を撮像する撮像素子と、
を含む撮像装置。
【請求項１７】
請求の範囲第１６項に記載の撮像装置を含む携帯端末。
【請求項１８】
請求の範囲第１項から第１５項のいずれか１項に記載の撮像レンズの製造方法であって、
複数の前記レンズブロックを並べて含むユニットを、レンズブロックユニットとすると、
前記レンズブロックの周縁の少なくとも一部にスペーサを並べ、複数の前記レンズブロックユニットを、前記スペーサを介在させてつなげる連結工程と、
前記のつながるレンズブロックユニットを、前記スペーサに沿って切断する切断工程と、
を含む撮像レンズの製造方法。
【発明の詳細な説明】
【技術分野】
【０００１】
本発明は、撮像レンズ、撮像装置、携帯端末、および撮像レンズの製造方法に関する。
【背景技術】
【０００２】
昨今、コンパクトで薄型の撮像装置が、コンパクトで薄型の電子機器である携帯端末｛例えば、携帯電話機やＰＤＡ(Personal Digital Assistant)等｝に搭載される。そして、このような携帯端末と、例えば遠隔地の電子機器との間では、音声情報および画像情報等の情報が双方向で伝送される。【０００３】
ところで、撮像装置に使用される撮像素子としては、例えば、ＣＣＤ(Charge Coupled Device)型イメージセンサおよびＣＭＯＳ(Complementary Metal-Oxide Semiconductor)型イメージセンサの固体撮像素子が挙げられる。また、昨今では、これらの撮像素子上に被写体像を形成する撮像レンズとして、安価に大量生産できる樹脂製レンズが、低コスト化のために用いられる。【０００４】
このような撮像レンズ、特に、携帯端末に内蔵される撮像装置（いわゆるカメラモジュール）に使用される撮像レンズとしては、プラスチックレンズ３枚構成のタイプ、および、ガラスレンズ１枚とプラスチックレンズ２枚とを含む３枚構成のタイプが、一般的によく知られている。しかしながら、これらの撮像レンズに対するさらなる超コンパクト化と高い量産化とは、技術的な限界から両立しにくい。【０００５】
このような問題点を克服する一対策として、レプリカ法（replica method）が特許文献１に挙げられる。レプリカ法は、１つのレンズ平板（ウェハ）に多数のレンズ（レンズ要素）を同時に形成する方法である。そして、特許文献１は、レプリカ法で形成された接合型複合レンズ（レンズブロック）を含む撮像レンズを開示する。また、特許文献２〜５にもレンズブロックを含む撮像レンズが開示される。
【特許文献１】特開２００６−３２３３６５号公報
【特許文献２】特許第３９２９４７９号公報
【特許文献３】特許第３９７６７８１号公報
【特許文献４】特許第３９４６２４５号公報
【特許文献５】特許第３９７６７８２号公報
【発明の開示】
【発明が解決しようとする課題】
【０００６】
しかしながら、特許文献１に記載の撮像レンズでは、回折面が含まれる。そのため、撮像レンズの製造難度が高い。その上、設計波長以外の波長の光に対する回折効率の劣化や、不要次数の回折光に起因するゴーストが問題となる。【０００７】
また、特許文献２および３の撮像レンズは、２つのレンズブロックしか含まないため、収差補正能力は低くならざるを得ず、撮像素子の高画素化に対応しきれない。【０００８】
一方、特許文献４および５の撮像レンズは、３つのレンズブロックを含む。しかしながら、最も物体側に位置するレンズブロックのパワーが強すぎるために、そのレンズブロックが若干の製造誤差を有してしまうと、撮像レンズ全体としての光学性能（高品質な光学像を撮像素子に導く能力）が極端に劣化してしまう。そのため、このような撮像レンズは、大量生産しにくい。【０００９】
なお、最近では、カメラモジュールは、ＩＣチップ等とともに、ペースト状のハンダの印刷されたプリント基板に取り付けられた後、加熱処理（リフロー処理）されることで、そのプリント基板に実装される。このような実装であれば、カメラモジュールを含む種々装置が低コストで大量に生産されるためである。すると、最近の撮像レンズは、リフロー処理に耐え得る耐熱性も要求される。【００１０】
本発明は、前述の状況を鑑みてなされたものである。そして、本発明の目的は、以下の点を満たす撮像レンズ等を提供することにある。【００１１】
・回折面等を含むことなく、像高に対する光学全長を短縮する。【００１２】
・良好な収差補正の確保。【００１３】
・製造誤差感度の抑制。【００１４】
・コストダウン。
【課題を解決するための手段】
【００１５】
撮像レンズは、平行平板であるレンズ基板と、レンズ基板の物体側基板面および像側基板面の少なくとも一方の基板面に連なる正パワーまたは負パワーを有するレンズと、を備えるレンズブロックを、少なくとも３つ以上含む。【００１６】
なお、この撮像レンズにて含まれるレンズブロックは、物体側から像側に向かう順番で、第１、第２、第３の数字を付される。また、レンズブロックに含まれるレンズ基板も同様に、第１、第２、第３の数字を付される。さらに、レンズブロックにおけるレンズＬは、レンズ基板ＬＳ（第１レンズ基板ＬＳ１、第２レンズ基板ＬＳ２）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、と表現する。【００１７】
以上のような撮像レンズは、以下の通りである。すなわち、レンズブロックは、レンズ基板とは異なる材質で形成されるレンズを含み、第１レンズブロックが正パワーを有するとともに、第２レンズブロックが負パワーを有し、下記条件式（Ｇ１）が満たされる。【００１８】
０．７＜ｆ[BK1]／ｆ[all]＜１．０  …  （Ｇ１）
ただし、
ｆ[BK1] ：第１レンズブロックの合成焦点距離
ｆ[all] ：撮像レンズ全体の合成焦点距離
である。【００１９】
また、撮像レンズにおいて、第１レンズブロックでは、第１レンズ基板が含まれ、かつ、レンズＬ[LS1o]が第１レンズ基板の物体側基板面に連なるとともに、レンズＬ[LS1m]が第１レンズ基板の像側基板面に連なっており、下記条件式（Ｇ２）が満たされると望ましい。【００２０】
１．０＜（ｒ[L[LS1m]m]＋ｒ[L[LS1o]o]）／（ｒ[L[LS1m]m]−ｒ[L[LS1o]o]）＜４．０  …（Ｇ２）
ただし、
ｒ[L[LS1m]m]  ：レンズＬ[LS1m]における像側レンズ面の曲率半径
ｒ[L[LS1o]o]  ：レンズＬ[LS1o]における物体側レンズ面の曲率半径
である。【００２１】
また、撮像レンズにおいて、第１レンズブロックでは、第１レンズ基板が含まれ、かつ、レンズＬ[LS1o]が第１レンズ基板の物体側基板面に連なり、下記条件式（Ｇ３）が満たされると望ましい。【００２２】
４０＜ν[L[LS1o]] …  （Ｇ３）
ただし、
ν[L[LS1o]] ：レンズＬ[LS1o]のアッベ数
である。【００２３】
また、撮像レンズでは、下記条件式（Ｇ５）が満たされると望ましい。【００２４】
０．２＜｜ｆ[BK1]／ｆ[BK2]｜＜０．６  …  （Ｇ５）
ただし、
ｆ[BK1] ：第１レンズブロックの合成焦点距離
ｆ[BK2] ：第２レンズブロックの合成焦点距離
である。【００２５】
また、撮像レンズにおいて、第２レンズブロックでは、第２レンズ基板が含まれ、かつ、レンズＬ[LS2o]が第２レンズ基板の物体側基板面に連なり、レンズＬ[LS2o]の物体側レンズ面は、物体側凹面であり、下記条件式（Ｇ６）が満たされると望ましい。【００２６】
０．４＜｜ｒ[L[LS2o]o]／ｆ[all]｜＜２．０  …（Ｇ６）
ただし、
ｒ[L[LS2o]o]  ：レンズＬ[LS2o]における物体側レンズ面の曲率半径
ｆ[all] ：撮像レンズ全体の合成焦点距離
である。【００２７】
また、撮像レンズでは、最も像側に位置するレンズブロックに含まれるレンズ基板の像側基板面には、レンズが連なり、その連なるレンズの像側レンズ面は、像側凹面であり、レンズ面内に変曲点を有すると望ましい。【００２８】
また、撮像レンズにおいて、第３レンズブロックは、第２レンズブロックの像側に位置しており、下記条件式（Ｇ７）が満たされると望ましい。【００２９】
２．０＜ｆ[BK3]／ｆ[all]＜１５．０  …  （Ｇ７）
ただし、
ｆ[BK3] ：第３レンズブロックの合成焦点距離
ｆ[all] ：撮像レンズ全体の合成焦点距離
である。【００３０】
また、撮像レンズでは、レンズブロックが、合計で３つ含まれると望ましい。【００３１】
また、撮像レンズにおいて、第１レンズブロックでは、第１レンズ基板が含まれ、光量を規制する開口絞りが、第１レンズ基板の物体側基板面および像側基板面のいずれか一方の基板面に形成されると望ましい。【００３２】
また、撮像レンズでは、光量を規制する開口絞りが、第１レンズブロックよりも物体側または像側に位置すると望ましい。【００３３】
また、撮像レンズでは、レンズ基板となる平行平板の厚みが、全て同じ厚みであると望ましい。【００３４】
また、撮像レンズでは、レンズ基板がガラスで形成されると望ましい。【００３５】
また、撮像レンズでは、レンズが樹脂で形成されると望ましい。【００３６】
なお、レンズとなる樹脂には、３０ｎｍ以下の粒径である無機微粒子が分散すると望ましい。【００３７】
また、樹脂は、硬化型樹脂であると望ましい。【００３８】
なお、以上のような撮像レンズと、撮像レンズを通過する光を撮像する撮像素子と、を含む撮像装置も本発明といえる。また、この撮像装置を含む携帯端末も本発明といえる。【００３９】
また、以上のような撮像レンズの製造方法にあって、複数のレンズブロックを並べて含むユニットを、レンズブロックユニットとすると、以下の工程が含まれると望ましい。すなわち、レンズブロックの周縁の少なくとも一部にスペーサを並べ、複数のレンズブロックユニットを、スペーサを介在させてつなげる連結工程と、つながるレンズブロックユニットを、スペーサに沿って切断する切断工程と、を含む撮像レンズの製造方法が望ましい。
【発明の効果】
【００４０】
本発明によれば、第１レンズブロックおよび第２レンズブロックのパワー配置により、第２レンズブロックから撮像素子までの間隔が増長する。そのため、この間隔に、収差補正を担う第３レンズブロックが配置可能になり、撮像レンズは高機能を有する。その上、撮像レンズは所定の条件式を満たすことで、第１レンズブロックの正パワーを適切にする。そのため、過剰な正パワーに起因した第１レンズブロックの製造誤差感度の向上は抑えられ、その結果、撮像レンズの製造誤差感度は低くなり、大量生産に適する撮像レンズが実現する。
【図面の簡単な説明】
【００４１】
【図１】は、実施例１の撮像レンズの光学断面図である。
【図２】は、実施例２の撮像レンズの光学断面図である。
【図３】は、実施例３の撮像レンズの光学断面図である。
【図４】は、実施例４の撮像レンズの光学断面図である。
【図５】は、実施例５の撮像レンズの光学断面図である。
【図６】は、実施例６の撮像レンズの光学断面図である。
【図７】は、実施例７の撮像レンズの光学断面図である。
【図８】は、実施例８の撮像レンズの光学断面図である。
【図９】では、実施例１の撮像レンズの収差図を示しており、（Ａ）は球面収差図であり、（Ｂ）は非点収差図であり、（Ｃ）は歪曲収差図である。
【図１０】では、実施例２の撮像レンズの収差図を示しており、（Ａ）は球面収差図であり、（Ｂ）は非点収差図であり、（Ｃ）は歪曲収差図である。
【図１１】では、実施例３の撮像レンズの収差図を示しており、（Ａ）は球面収差図であり、（Ｂ）は非点収差図であり、（Ｃ）は歪曲収差図である。
【図１２】では、実施例４の撮像レンズの収差図を示しており、（Ａ）は球面収差図であり、（Ｂ）は非点収差図であり、（Ｃ）は歪曲収差図である。
【図１３】では、実施例５の撮像レンズの収差図を示しており、（Ａ）は球面収差図であり、（Ｂ）は非点収差図であり、（Ｃ）は歪曲収差図である。
【図１４】では、実施例６の撮像レンズの収差図を示しており、（Ａ）は球面収差図であり、（Ｂ）は非点収差図であり、（Ｃ）は歪曲収差図である。
【図１５】では、実施例７の撮像レンズの収差図を示しており、（Ａ）は球面収差図であり、（Ｂ）は非点収差図であり、（Ｃ）は歪曲収差図である。
【図１６】では、実施例８の撮像レンズの収差図を示しており、（Ａ）は球面収差図であり、（Ｂ）は非点収差図であり、（Ｃ）は歪曲収差図である。
【図１７】は、携帯端末のブロック図である。
【図１８】では、（Ａ）はレンズブロックユニットの断面図であり、（Ｂ）は撮像レンズの製造工程を示す断面図であり、（Ｃ）は撮像レンズの断面図である。
【符号の説明】
【００４２】
ＢＫ  レンズブロック
Ｌ  レンズ
ＬＳ  レンズ基板
ａｐｅ  開口絞り
ｓ  レンズ面・基板面
＊  非球面
ＰＴ  平行平板
ＬＮ  撮像レンズ
ＳＲ  撮像素子
ＩＭ  像面
ＳＳ  受光面
ＡＸ  光軸
ＬＵ  撮像装置
ＣＵ  携帯端末
１  信号処理部
２  制御部
３  メモリ
４  操作部
５  表示部
【発明を実施するための最良の形態】
【００４３】
［実施の形態１］
［■撮像装置および携帯端末について］
通常、撮像レンズは、画像入力機能付きデジタル機器（例えば携帯端末）への使用に適する。なぜなら、撮像レンズと撮像素子等とを組み合わせて含むデジタル機器は、被写体の映像を光学的に取り込んで電気的な信号として出力する撮像装置になるためである。【００４４】
撮像装置は、被写体の静止画および動画を撮影するカメラの主たる構成要素（光学装置）であり、例えば、物体（すなわち被写体）側から順に、物体の光学像を形成する撮像レンズと、その撮像レンズにより形成された光学像を電気的な信号に変換する撮像素子と、を含む。【００４５】
カメラの例としては、デジタルカメラ、ビデオカメラ、監視カメラ、車載カメラ、およびテレビ電話用カメラが挙げられる。また、カメラは、パーソナルコンピュータ、携帯端末（例えば、携帯電話、モバイルコンピュータ等のコンパクトで携帯可能な情報機器端末）、これらの周辺機器（スキャナー、プリンター等）、および、その他のデジタル機器等に内蔵または外付けされてもよい。【００４６】
これらの例からわかるように、撮像装置を搭載することでカメラが構成されるだけでなく、撮像装置を搭載することでカメラ機能を有する各種機器が構成される。例えば、カメラ付き携帯電話等の画像入力機能付きデジタル機器が構成される。【００４７】
図１７は、画像入力機能付きデジタル機器の一例である携帯端末ＣＵのブロック図である。この図での携帯端末ＣＵに搭載されている撮像装置ＬＵは、撮像レンズＬＮ、平行平面板ＰＴ、および撮像素子ＳＲを含む（平行平板ＰＴを含めて撮像レンズＬＮと称す場合もある）。【００４８】
撮像レンズＬＮは、物体（すなわち被写体）側から順に、物体の光学像(像面)ＩＭを形成する。詳説すると、撮像レンズＬＮは、例えばレンズブロックＢＫ（詳細は後述）を含み、撮像素子ＳＲの受光面ＳＳ上に光学像ＩＭを形成する。【００４９】
なお、撮像レンズＬＮで形成されるべき光学像ＩＭは、例えば、撮像素子ＳＲの画素ピッチにより決定される所定の遮断周波数特性を有する光学的ローパスフィルター（図１７での平行平面板ＰＴ）を通過する。この通過により、電気的な信号に変換される場合に発生するいわゆる折り返しノイズが最小化されるように、空間周波数特性が調整される。【００５０】
そして、この空間周波数特性の調整により、色モアレの発生が抑えられる。ただし、解像限界周波数周辺の性能が抑えられれば、光学的ローパスフィルターを用いなくても、ノイズが発生しない。また、ノイズのあまり目立たない表示系（例えば、携帯電話の液晶画面等）を用いて、ユーザーが撮影や鑑賞を行う場合、光学的ローパスフィルターは不要である。【００５１】
平行平面板ＰＴは、例えば、必要に応じて配置される光学的ローパスフィルター、赤外カットフィルタ等の光学フィルタである（なお、平行平板ＰＴは、撮像素子ＳＲのカバーガラス等に相当することもある）。【００５２】
撮像素子ＳＲは、撮像レンズＬＮにより受光面ＳＳ上に形成された光学像ＩＭを電気的な信号に変換する。例えば、複数の画素を有するＣＣＤ（Charge Coupled Device)型イメージセンサおよびＣＭＯＳ（Complementary Metal-Oxide Semiconductor）型イメージセンサが撮像素子（固体撮像素子）として挙げられる。なお、撮像レンズＬＮは、撮像素子ＳＲの受光面ＳＳ上に被写体の光学像ＩＭを形成させるように位置する。そのため、撮像レンズＬＮによって形成された光学像ＩＭは、撮像素子ＳＲによって電気的な信号に効率よく変換される。【００５３】
なお、このような撮像装置ＬＵが画像入力機能付きの携帯端末ＣＵに搭載される場合、通常、携帯端末ＣＵのボディ内部に撮像装置ＬＵが配置される。ただし、携帯端末ＣＵがカメラ機能を発揮する場合には、撮像装置ＬＵが必要に応じた形態になる。例えば、ユニット化した撮像装置ＬＵが、携帯端末ＣＵの本体に対して着脱自在または回動自在になっていてもよい。【００５４】
ところで、携帯端末ＣＵは、撮像装置ＬＵの他に、信号処理部１、制御部２、メモリ３、操作部４、および表示部５を含む。【００５５】
信号処理部１は、撮像素子ＳＲで生成された信号に対して、例えば、所定のデジタル画像処理および画像圧縮処理を必要に応じて施す。そして、処理の施された信号は、デジタル映像信号としてメモリ３（半導体メモリ、光ディスク等）に記録されたり、ケーブルを介して赤外線信号に変換され、他の機器に伝送されたりする。【００５６】
制御部２は、マイクロコンピュータであり、撮影機能、画像再生機能等の機能制御、すなわち、フォーカシングのためのレンズ移動機構の制御等を集中的に行う。例えば、制御部２は、被写体の静止画撮影および動画撮影のうちの少なくとも一方を行うように、撮像装置ＬＵを制御する。【００５７】
メモリ３は、例えば、撮像素子ＳＲで生成されるとともに信号処理部１にて処理された信号を記憶する。【００５８】
操作部４は、操作ボタン（例えばレリーズボタン）、操作ダイヤル（例えば撮影モードダイヤル）等の操作部材を含む部分であり、操作者の操作入力した情報を制御部２に伝達する。【００５９】
表示部５は、液晶モニター等のディスプレイを含む部分であり、撮像素子ＳＲによって変換された画像信号またはメモリ３に記録されている画像情報を用いて画像表示を行う。【００６０】
［■撮像レンズについて］
ここで、撮像レンズＬＮについて詳説する。撮像レンズＬＮは、複数の光学要素を連ねたレンズブロックＢＫを含む（後述の図１等参照）。そして、このレンズブロックＢＫは、例えば、レンズ基板ＬＳにて対向する２面（物体側基板面および像側基板面）のうちの少なくとも一方の基板面にレンズＬを連ねる（なお、このレンズＬは正パワーまたは負パワーを有する）。【００６１】
なお、“連なる”とは、レンズ基板ＬＳの基板面とレンズＬとが直接接着状態にあること、または、レンズ基板ＬＳの基板面とレンズＬとが別部材を介しながら間接接着状態にあることを意味する。【００６２】
［■撮像レンズの製造方法について］
ところで、図１８Ａの断面図に示すような、複数のレンズブロックＢＫを並べて含むレンズブロックユニットＵＴは、例えば、多数のレンズＬを同時に作製できるとともに低コストであるリフロー法またはレプリカ法で製造される（なお、レンズブロックユニットＵＴに含まれるレンズブロックＢＫの数は単数であっても複数であってもよい）。【００６３】
リフロー法は、ＣＶＤ（Chemical Vapor Deposition）法によって、ガラス基板に、低軟化点ガラスを成膜させる。そして、この低軟化点ガラス成膜は、リソグラフィーおよびドライエッチングによって微細加工される。さらに、加熱されることで、低軟化点ガラス成膜は溶融してレンズ状になる。つまり、このリフロー法では、ガラス基板上に、多数のレンズが同時に作製される。【００６４】
また、レプリカ法は、レンズウェーハ上に、金型を用いて硬化性の樹脂をレンズ形状にして転写する。これにより、このレプリカ法では、レンズウェーハ上に、多数のレンズが同時に作製される。【００６５】
そして、これらのような方法によって製造されたレンズブロックユニットＵＴから、撮像レンズＬＮが製造される。この撮像レンズの製造工程の一例を、図１８Ｂの概略断面図で示す。【００６６】
第１のレンズブロックユニットＵＴ１は、平行平板である第１レンズ基板ＬＳ１と、その一方の平面に接着された複数の第１レンズＬ１と、他方の平面に接着された複数の第２レンズＬ２と、で構成される。【００６７】
第２のレンズブロックユニットＵＴ２は、平行平板である第２レンズ基板ＬＳ２と、その一方の平面に接着された複数の第３レンズＬ３と、他方の平面に接着された複数の第４レンズＬ４と、で構成される。【００６８】
格子状のスペーサ部材（スペーサ）Ｂ１は、第１のレンズブロックユニットＵＴ１と第２のレンズブロックユニットＵＴ２との間（具体的には、第１レンズ基板ＬＳ１と第２レンズ基板ＬＳ２との間）に介在し、両レンズブロックユニットＵＴ１・ＵＴ２の間隔を一定に保つ。さらに、スペーサ部材Ｂ１は、基板２と第２のレンズブロックユニット２との間に介在し、基板２とレンズブロックユニットＵＴ２との間隔を一定に保つ（つまり、スペーサ部材Ｂ１は２段格子といえる）。そして、スペーサ部材Ｂ１の格子の穴の部分に、各レンズＬが位置する。【００６９】
なお、基板Ｂ２は、マイクロレンズアレイを含むウェーハレベルのセンサーチップサイズパッケージ、あるいはセンサーカバーガラスまたはＩＲカットフィルタ等の平行平面板（図１７での平行平面板ＰＴに相当するもの）である。【００７０】
そして、スペーサ部材Ｂ１が、第１のレンズブロックユニットＵＴ１と第１のレンズブロックユニットＵＴ２との間、および、第２のレンズユニットＵＴ２と第２基板Ｂ２との間に介在することで、レンズ基板ＬＳ同士（第１レンズ基板ＬＳ１と第２レンズ基板ＬＳ２と）が、封止され一体化する。【００７１】
そして、一体化した第１レンズ基板ＬＳ１、第２レンズ基板ＬＳ２、スペーサ部材Ｂ１、および基板２が、スペーサ部材Ｂ１の格子枠（破線Ｑの位置）に沿って切断されると、図１８Ｃに示すように、２枚玉構成の撮像レンズＬＮが複数得られる。【００７２】
このように、複数のレンズブロックＢＫ（第１レンズブロックＢＫ１および第２レンズブロックＢＫ２）の組み込まれた部材が切り離されることで、撮像レンズＬＮが製造されると、撮像レンズＬＮ毎のレンズ間隔の調整および組み立てが不要になる。そのため、撮像レンズＬＮの大量生産が可能となる。【００７３】
しかも、スペーサ部材Ｂ１が格子形状である。そのため、このスペーサ部材Ｂ１が、複数のレンズブロックＢＫの組み込まれた部材から撮像レンズＬＮを切り離す場合の印にもなる。したがって、複数のレンズブロックＢＫの組み込まれた部材から撮像レンズＬＮが簡単に切り離され、手間がかからない。その結果、撮像レンズが安価に大量生産できる。【００７４】
以上を踏まえると、撮像レンズＬＮの製造方法は、レンズブロックＢＫの周縁の少なくとも一部にスペーサ部材Ｂ１を並べ、複数のレンズブロックユニットＵＴを、スペーサ部材Ｂ１を介在させてつなげる連結工程と、つながるレンズブロックユニットＵＴを、スペーサ部材Ｂ１に沿って切断する切断工程と、を含む。そして、このような製造方法は、安価なレンズ系の量産に向いている。【００７５】
［■撮像レンズに関するレンズ構成ついて］
次に、全実施例である実施例１〜８の撮像レンズＬＮに関するレンズ構成について、図１〜図８の光学断面図を用いて説明する。【００７６】
光学断面等における部材符号については、以下のようになる。【００７７】
・Ｌｉ    ：レンズＬ
・ＬＳｉ  ：レンズ基板ＬＳ（なお、全実施例のレンズ基板ＬＳは平行平板である）
・ＢＫｉ  ：レンズブロックＢＫ
・ＰＴｉ  ：平行平板（なお、レンズＬを連ねない平行平板に限ってＰＴｉを付す）
・ｓｉ    ：レンズ面および基板面
・ｉ      ：“Ｌｉ”等に付される数字であり、各部材での物体側から像側に至るまでの順番。【００７８】
・＊      ：非球面（なお、レンズ基板ＬＳに隣接せず、空気に接するレンズ面は非球面である）
・ａｐｅ  ：開口絞り
・ＡＸ    ：光軸
なお、物体側から像側に並ぶ順番に合致した数字を付されたレンズＬを別表現する場合がある。具体的には、レンズ基板ＬＳ（第１レンズ基板ＬＳ１〜第３レンズ基板ＬＳ３）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、と表現する場合がある。【００７９】
［●実  施  例  １］〜［●実  施  例  ３］（図１〜図３参照）
実施例１〜３の撮像レンズＬＮでは、物体側から像側に向かって並ぶ３つのレンズブロックＢＫ１〜ＢＫ３を含むとともに、開口絞りａｐｅおよび平行平板ＰＴ１を含む。【００８０】
最も物体側に位置する第１レンズブロックＢＫ１は、第１レンズ基板ＬＳ１を含む。そして、この第１レンズ基板ＬＳ１の物体側基板面には第１レンズＬ１（レンズＬ[LS1o]）が連なり、第１レンズ基板ＬＳ１の像側基板面には第２レンズＬ２(レンズＬ[LS1m]）が連なる。詳説すると、第１レンズＬ１および第２レンズＬ２は、以下のようになる。なお、開口絞りａｐｅは、第１レンズＬ１と第１レンズ基板ＬＳ１との境界面に形成される。【００８１】
・第１レンズＬ１  ：物体側凸の平凸レンズ
・第２レンズＬ２  ：像側凹の平凹レンズ
第２レンズブロックＢＫ２は、第１レンズブロックＢＫ１の像側に位置し、第２レンズ基板ＬＳ２を含む。そして、この第２レンズ基板ＬＳ２の物体側基板面には第３レンズＬ３（レンズＬ[LS2o]）が連なり、第２レンズ基板ＬＳ２の像側基板面には第４レンズＬ４（レンズＬ[LS2m]）が連なる。詳説すると、第３レンズＬ３および第４レンズＬ４は、以下のようになる。【００８２】
・第３レンズＬ３  ：物体側凹の平凹レンズ
・第４レンズＬ４  ：像側凸の平凸レンズ
第３レンズブロックＢＫ３は、第２レンズブロックＢＫ２の像側に位置し、第３レンズ基板ＬＳ３を含む。そして、この第３レンズ基板ＬＳ３の物体側基板面には第５レンズＬ５（レンズＬ[LS3o]）が連なり、第３レンズ基板ＬＳ３の像側基板面には第６レンズＬ６（レンズＬ[LS3m]）が連なる。詳説すると、第５レンズＬ５および第６レンズＬ６は、以下のようになる。【００８３】
・第５レンズＬ５  ：物体側凸の平凸レンズ
・第６レンズＬ６  ：像側凹の平凹レンズ
平行平板ＰＴ１は、物体側面および像側面を平面とする。そして、この平行平板ＰＴ１は、撮像素子ＳＲの撮像面（受光面）を保護してもよい（要は、平行平板ＰＴ１がカバーガラスになってもよい）。なお、以降の実施例における平行平板ＰＴ１は、この実施例１での平行平板ＰＴ１と同様である。【００８４】
［●実  施  例  ４］（図４参照）
実施例４の撮像レンズＬＮは、第１レンズブロックＢＫ１〜第３レンズブロックＢＫ３、開口絞りａｐｅ、および平行平板ＰＴ１を含む。【００８５】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【００８６】
・第１レンズＬ１  ：物体側凸の平凸レンズ
・第２レンズＬ２  ：像側凸の平凸レンズ
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【００８７】
・第３レンズＬ３  ：物体側凹の平凹レンズ
・第４レンズＬ４  ：像側凸の平凸レンズ
第３レンズブロックＢＫ３では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。【００８８】
・第５レンズＬ５  ：物体側凸の平凸レンズ
・第６レンズＬ６  ：像側凹の平凹レンズ
［●実  施  例  ５］〜［●実  施  例  ７］（図５〜図７参照）
実施例５〜７の撮像レンズＬＮは、第１レンズブロックＢＫ１〜第３レンズブロックＢＫ３、開口絞りａｐｅ、および平行平板ＰＴ１を含む。【００８９】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【００９０】
・第１レンズＬ１  ：物体側凸の平凸レンズ
・第２レンズＬ２  ：像側凹の平凹レンズ
第２レンズブロックＢＫ２は、第２レンズ基板ＬＳ２を含み、その第２レンズ基板ＬＳ２の物体側基板面にのみレンズＬ｛第３レンズＬ３（レンズＬ[LS2o]）｝を連ねる。詳説すると、第３レンズＬ３は以下のようになる。【００９１】
・第３レンズＬ３  ：物体側凹の平凹レンズ
第３レンズブロックＢＫ３では、第３レンズ基板ＬＳ３の物体側基板面に連なる第４レンズＬ４（レンズＬ[LS3o]）および像側基板面に連なる第５レンズＬ５（レンズＬ[LS3m]）は、以下のようになる。【００９２】
・第４レンズＬ４  ：物体側凸の平凸レンズ
・第５レンズＬ５  ：像側凹の平凹レンズ
［●実  施  例  ８］（図８参照）
実施例８の撮像レンズＬＮは、第１レンズブロックＢＫ１〜第３レンズブロックＢＫ３、開口絞りａｐｅ、および平行平板ＰＴ１を含む。この実施例の撮像レンズＬＮでは、開口絞りａｐｅは、第１レンズブロックＢＫ１に含まれない。詳説すると、開口絞りａｐｅは第１レンズブロックＢＫ１よりも物体側に位置する（なお、開口絞りａｐｅの物体側面をｓ１、像側面をｓ２とする）。【００９３】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。【００９４】
・第１レンズＬ１  ：物体側凸の平凸レンズ
・第２レンズＬ２  ：像側凹の平凹レンズ
第２レンズブロックＢＫ２は、第１レンズブロックＢＫ１の像側に位置し、第２レンズ基板ＬＳ２を含む。そして、この第２レンズ基板ＬＳ２の物体側基板面には第３レンズＬ３（レンズＬ[LS2o]）が連なり、第２レンズ基板ＬＳ２の像側基板面には第４レンズＬ４（レンズＬ[LS2m]）が連なる。詳説すると、第３レンズＬ３および第４レンズＬ４は、以下のようになる。【００９５】
・第３レンズＬ３  ：物体側凹の平凹レンズ
・第４レンズＬ４  ：像側凸の平凸レンズ
第３レンズブロックＢＫ３は、第２レンズブロックＢＫ２の像側に位置し、第３レンズ基板ＬＳ３を含む。そして、この第３レンズ基板ＬＳ３の物体側基板面には第５レンズＬ５（レンズＬ[LS3o]）が連なり、第３レンズ基板ＬＳ３の像側基板面には第６レンズＬ６（レンズＬ[LS3m]）が連なる。詳説すると、第５レンズＬ５および第６レンズＬ６は、以下のようになる。【００９６】
・第５レンズＬ５  ：物体側凸の平凸レンズ
・第６レンズＬ６  ：像側凹の平凹レンズ
［■撮像レンズに関するレンズのデータついて］
次に、実施例１〜８の撮像レンズＬＮの撮像レンズＬＮにおける各種データ、コンストラクションデータ、および非球面データを以下に示す。【００９７】
なお、各種データにおける符号については、以下のようになる。【００９８】
・ｆ      ：焦点距離［単位；ｍｍ］
なお、ｆ[all]は撮像レンズＬＮ全系の焦点距離、ｆ[BK1]〜ｆ[BK3] 
はレンズブロックＢＫ１〜ＢＫ３の焦点距離である。【００９９】
・Ｆｎｏ  ：Ｆナンバー
・ω      ：半画角［単位；°］（ただし、画角は歪曲込みの値）
・Ｙ’    ：像高［単位；ｍｍ］（ただし、歪曲込みの値）
・ＴＬ    ：撮像レンズＬＮの全長［単位；ｍｍ］
・ＢＦ    ：バックフォーカス（ただし、空気換算長。また、撮像レンズＬＮの全長である光学全長に含まれるバックフォーカスも同様である)。【０１００】
ただし、レンズ基板ＬＳの物体側基板面に連なるレンズＬの焦点距離は、そのレンズＬの物体側が空気で満たされる一方、像側がレンズ基板ＬＳの媒質で満たされるという状態のもとで求められる。また、レンズ基板ＬＳの像側基板面に連なるレンズの焦点距離は、そのレンズＬの物体側がレンズ基板ＬＳの媒質で満たされる一方、像側が空気で満たされるという状態のもとで求められる。【０１０１】
また、接合されていないレンズＬの物体側レンズ面の焦点距離は、そのレンズＬの物体側が空気で満たされる一方、像側がレンズ基板ＬＳの媒質で満たされるという状態のもとで求められる。もちろん、接合されていないレンズＬの像側レンズ面の焦点距離は、そのレンズＬの物体側がレンズ基板ＬＳの媒質で満たされる一方、像側が空気で満たされるという状態のもとで求められる。【０１０２】
コンストラクションデータにおける符号については、以下のようになる。【０１０３】
・ｓｉ    ：数字は物体側から像側に向かうレンズ面および基板面の順番
・ｉ      ：“ｓｉ”等に付される数字であり、物体側から像側に至るまでの順番。【０１０４】
・＊      ：非球面
・ａｐｅ  ：開口絞り
・ｒ      ：レンズ面または基板面の曲率半径［単位；ｍｍ］
・ｄ      ：軸上面間隔［単位；ｍｍ］
・Ｎｄ    ：ｄ線（波長５８７．５６ｎｍ）に対して媒質が有する屈折率
・νｄ    ：ｄ線に対して媒質が有するアッベ数
非球面データは、非球面における面頂点を原点とするローカルな直交座標系（x，y，z）を用いた以下の式（ＡＳ）で定義される。そして、以下のKと、非球面（ｓｉ）毎のAjとが示される（ただし、表記のない項はゼロである）。なお、すべてのデータに関して、“ｅ−ｎ”＝“×１０-n”である。【０１０５】
z＝（h2/r）／（1+√[1-(1+K)・h2/r2]）＋ΣAjhj  …  （ＡＳ）
ただし、
h ：z軸(光軸ＡＸ)に対して垂直な方向の高さ(ｈ2=ｘ2+ｙ2)
z ：高さhの位置での光軸ＡＸ方向のサグ量(面頂点基準)
r ：曲率半径
K ：円錐定数
Aj   ：ｊ次の非球面係数
である。【０１０６】
［●実  施  例  １］（図９参照）
ｆ[all] 2.647
ｆ[BK1] 2.252
ｆ[BK2] -4.572
ｆ[BK3] 29.024
Ｆｎｏ   2.880
ω       34.111
Ｙ’     1.750
ＴＬ     2.890
ＢＦ     0.675
si r d Nd υd
1* 0.811 0.250 1.52000 57.00
2 (ape) infinity 0.300 1.47400 56.40
3 infinity 0.050 1.55000 32.00
4* 2.075 0.346
5* -2.283 0.050 1.55000 32.00
6 infinity 0.300 1.47400 56.40
7 infinity 0.241 1.52000 57.00
8* -25.652 0.100
9* 1.312 0.137 1.52000 57.00
10 infinity 0.300 1.47400 56.40
11 infinity 0.141 1.55000 32.00
12* 1.289 0.399
13 infinity 0.300 1.51633 64.14
14 infinity 0.079
15 infinity
s1*
K = 3.11773e-001
A4 =-1.11952e-001 A6 = 4.12697e-001    A8 =-1.99639e+000
A10= 2.22217e+000 A12= 0.00000e+000
s4*
K = 9.03066e+000
A4 = 1.67139e-001 A6 =-9.10089e-001    A8 = 5.35290e+000
A10=-1.18243e+001 A12= 0.00000e+000
s5*
K = 1.75991e+001
A4 = 1.57954e-001 A6 =-1.80218e+000    A8 = 3.70982e+000
A10=-4.16011e+000 A12=-6.91572e+000
s8*
K = 6.93862e+000 
A4 =-3.19503e-001 A6 = 9.94179e-002    A8 = 1.22816e-001
A10= 1.05558e-002 A12=-1.02995e-001
s9*
K =-1.08476e+000
A4 =-6.91146e-001 A6 = 4.07236e-001    A8 =-6.63633e-003
A10=-6.23921e-002 A12= 1.49033e-002
s12*
K =-6.06038e+000 
A4 =-2.10718e-001 A6 = 7.31124e-002    A8 =-3.38434e-002
A10= 1.12053e-002 A12=-7.11384e-004
［●実  施  例  ２］（図１０参照）
ｆ[all] 3.704
ｆ[BK1] 3.003
ｆ[BK2] -690.938
ｆ[BK3] -5.985
Ｆｎｏ     2.880
ω       31.350
Ｙ’     2.240
ＴＬ     4.124
ＢＦ     0.914
si r d Nd υd
1* 1.252 0.250 1.52000 57.00
2 (ape) infinity 0.500 1.47400 56.40
3 infinity 0.050 1.52000 57.00
4* 4.909 0.442
5* -1.885 0.050 1.52000 57.00
6 infinity 0.500 1.47400 56.40
7 infinity 0.250 1.52000 57.00
8* -2.175 0.424
9* 3.265 0.156 1.52000 57.00
10 infinity 0.500 1.47400 56.40
11 infinity 0.088 1.55000 32.00
12* 1.551 0.531
13 infinity 0.500 1.51633 64.14
14 infinity 0.054
15 infinity
s1*
K = 3.05958e-001
A4 =-1.30816e-002 A6 =-3.81369e-003    A8 =-7.05497e-003 
A10=-1.52999e-002 A12= 0.00000e+000
s4*
K = 2.02241e+001
A4 = 2.10611e-002 A6 =-1.71489e-001    A8 = 5.18291e-001
A10=-8.31280e-001 A12= 0.00000e+000
s5*
K = 5.15349e+000
A4 =-1.46432e-003 A6 =-1.41202e-002    A8 = 3.20063e-001
A10=-3.56834e-001 A12= 4.11694e-002
s8*
K = 2.05378e+000
A4 =-4.35175e-002 A6 = 8.80698e-002    A8 = 5.60302e-002
A10= 1.74354e-003 A12=-1.20205e-002
s9*
K = 3.24213e-002
A4 =-2.92113e-001 A6 = 1.22510e-001    A8 =-3.35706e-003 
A10=-7.41606e-003 A12= 1.19605e-003
s12*
K =-6.34748e+000
A4 =-9.61452e-002 A6 = 2.67900e-002    A8 =-6.67033e-003 
A10= 8.92508e-004 A12=-1.39287e-005
［●実  施  例  ３］（図１１参照）
ｆ[all] 2.753
ｆ[BK1] 2.169
ｆ[BK2] -6.443
ｆ[BK3] -13.667 
Ｆｎｏ     2.880
ω       33.086
Ｙ’     1.750
ＴＬ     2.978
ＢＦ     0.653
si r d Nd υd
1* 0.807 0.250 1.52000 57.00
2 (ape) infinity 0.350 1.47400 56.40
3 infinity 0.050 1.55000 32.00
4* 2.163 0.290
5* -1.866 0.050 1.55000 32.00
6 infinity 0.350 1.47400 56.40
7 infinity 0.250 1.52000 57.00
8* -4.203 0.156
9* 2.063 0.066 1.52000 57.00
10 infinity 0.350 1.47400 56.40
11 infinity 0.162 1.55000 32.00
12* 1.527 0.345
13 infinity 0.350 1.51633 64.14
14 infinity 0.077
15 infinity
s1*
K = 2.85078e-001
A4 =-8.77126e-002 A6 = 2.12975e-001    A8 =-1.43963e+000 
A10= 1.45839e+000 A12= 0.00000e+000
s4*
K = 9.77741e+000
A4 = 2.54893e-002 A6 =-6.10318e-001    A8 = 3.09263e+000
A10=-1.83224e+001 A12= 0.00000e+000
s5*
K = 1.42335e+001
A4 =-7.06514e-002 A6 =-1.07883e+000    A8 = 1.08555e+000
A10=-5.40220e+000 A12= 3.07207e+000
s8*
K = 1.13365e+001
A4 =-2.69008e-001 A6 = 1.52602e-001    A8 = 6.12113e-002
A10=-3.18793e-002 A12=-1.05795e-002
S9*
K =-2.03169e-001
A4 =-6.20108e-001 A6 = 4.03870e-001    A8 =-1.66137e-002 
A10=-6.50318e-002 A12= 1.71489e-002
s12*
K =-6.91474e+000 
A4 =-2.08104e-001 A6 = 8.20763e-002    A8 =-3.69054e-002 
A10= 1.02771e-002 A12=-3.69935e-004
［●実  施  例  ４］（図１２参照）
ｆ[all] 2.973
ｆ[BK1] 2.487
ｆ[BK2] -69.641
ｆ[BK3] -8.465
Ｆｎｏ     2.880
ω       30.835
Ｙ’     1.750
ＴＬ     3.573
ＢＦ     1.002
si r d Nd υd
1* 1.517 0.165 1.52000 57.00
2 (ape) infinity 0.300 1.51633 64.14
3 infinity 0.089 1.52000 57.00
4* -7.691 0.411
5* -1.239 0.050 1.55000 32.00
6 infinity 0.300 1.51633 64.14
7 infinity 0.200 1.52000 57.00
8* -1.405 0.375
9* 2.059 0.131 1.52000 57.00
10 infinity 0.500 1.51633 64.14
11 infinity 0.050 1.52000 57.00
12* 1.244 0.396
13 infinity 0.500 1.51633 64.14
14 infinity 0.277
15 infinity
s1*
K = 2.81651e+000
A4 =-1.64911e-001 A6 =-3.50486e-002    A8 =-4.00426e-001 
A10=-1.08833e-001 A12= 0.00000e+000
s4*
K = 3.00000e+001
A4 =-6.97529e-002 A6 =-6.73186e-003    A8 =-1.17936e-002 
A10= 2.68305e-001 A12= 0.00000e+000
s5*
K =-6.19072e+000
A4 =-3.26269e-001 A6 = 6.84134e-001    A8 = 4.05781e-001 
A10=-1.08216e+000 A12= 6.22134e-001
s8*
K = 2.99275e-001
A4 =-5.61372e-002 A6 = 4.73054e-001    A8 = 6.17604e-004 
A10= 2.22352e-002 A12= 8.31253e-002
S9*
K =-1.95861e+001
A4 =-2.69021e-001 A6 = 1.30888e-001    A8 =-1.04330e-002 
A10=-6.07503e-002 A12= 3.70017e-002
s12*
K =-6.46040e+000
A4 =-1.50034e-001 A6 = 7.58932e-002    A8 =-4.42902e-002 
A10= 1.30184e-002 A12=-1.57213e-003
［●実  施  例  ５］（図１３参照）
ｆ[all] 2.890
ｆ[BK1] 2.416
ｆ[BK2] -4.455
ｆ[BK3] 16.593
Ｆｎｏ     2.880
ω       30.894
Ｙ’     1.750
ＴＬ     3.142
ＢＦ     0.702
si r d Nd υd
1* 0.882 0.237 1.52000 57.00
2 (ape) infinity 0.400 1.47400 56.40
3 infinity 0.068 1.52000 57.00
4* 2.141 0.368
5* -2.317 0.050 1.52000 57.00
6 infinity 0.400 1.47400 56.40
7 infinity 0.073
8* 2.224 0.241 1.52000 57.00
9 infinity 0.400 1.47400 56.40
10 infinity 0.203 1.55000 32.00
11* 2.754 0.389
12 infinity 0.400 1.51633 64.14
13 infinity 0.050
14 infinity
s1*
K = 2.87192e-001
A4 =-5.84488e-002 A6 = 8.46640e-002    A8 =-3.91741e-001
A10= 1.64612e-001 A12= 0.00000e+000
s4*
K = 1.47848e+001
A4 = 9.44161e-002 A6 =-7.19604e-001    A8 = 3.19557e+000
A10=-9.42326e+000 A12= 0.00000e+000
s5*
K = 4.98195e+000 
A4 = 8.08230e-002 A6 =-7.67275e-001    A8 =-2.85309e-001 
A10= 8.15736e-002 A12=-4.12767e+000
s8*
K = 7.17765e-001
A4 =-3.42193e-001 A6 = 2.61355e-001    A8 =-5.78269e-002 
A10=-4.51000e-002 A12= 2.25823e-002
s11*
K = 1.50135e+000
A4 =-1.93316e-001 A6 = 5.19675e-002    A8 =-2.44293e-002 
A10= 6.81970e-003 A12=-6.29114e-004
［●実  施  例  ６］（図１４参照）
ｆ[all] 2.774
ｆ[BK1] 2.488
ｆ[BK2] -10.446
ｆ[BK3] -12.416
Ｆｎｏ     2.880
ω       32.365
Ｙ’     1.750
ＴＬ     2.862
ＢＦ     0.637
si r d Nd υd
1* 0.769 0.249 1.52000 57.00
2 (ape) infinity 0.300 1.47400 56.40
3 infinity 0.050 1.52000 57.00
4* 1.381 0.309
5* -5.432 0.058 1.52000 57.00
6 infinity 0.300 1.47400 56.40
7 infinity 0.309
8* 2.325 0.163 1.52000 57.00
9 infinity 0.300 1.47400 56.40
10 infinity 0.187 1.55000 32.00
11* 1.634 0.369
12 infinity 0.300 1.51633 64.14
13 infinity 0.071
14 infinity
s1*
K =-3.64146e-003
A4 = 9.17256e-003 A6 = 3.98044e-001    A8 =-1.38951e+000
A10= 3.23599e+000 A12= 0.00000e+000
s4*
K = 2.78669e+000
A4 = 3.98580e-001 A6 = 9.94132e-002    A8 = 3.11542e+000
A10= 1.47065e+001 A12= 0.00000e+000
s5*
K = 1.66617e+001
A4 = 1.79708e-001 A6 =-1.45136e+000    A8 =-1.24731e+000
A10= 1.62642e+001 A12=-1.90430e+001
s8*
K =-5.86554e+001 
A4 =-2.72004e-001 A6 = 2.12991e-001    A8 = 2.47318e-002
A10=-6.88733e-002 A12= 1.84259e-002
s11*
K =-1.32049e+001 
A4 =-1.74896e-001 A6 = 3.55497e-002    A8 =-1.27413e-002
A10= 6.44311e-003 A12=-1.43766e-004
［●実  施  例  ７］（図１５参照）
ｆ[all] 2.791
ｆ[BK1] 2.662
ｆ[BK2] -5.005
ｆ[BK3] 8.560 
Ｆｎｏ     2.880
ω       31.719
Ｙ’     1.750
ＴＬ     3.063
ＢＦ     0.797
si r d Nd υd
1* 0.904 0.213 1.52000 57.00
2 (ape) infinity 0.300 1.47400 56.40
3 infinity 0.094 1.52000 57.00
4* 1.999 0.509
5* -2.602 0.106 1.52000 57.00
6 infinity 0.300 1.47400 56.40
7 infinity 0.050
8* 1.330 0.250 1.52000 57.00
9 infinity 0.300 1.47400 56.40
10 infinity 0.143 1.52000 57.00
11* 1.554 0.534
12 infinity 0.300 1.51633 64.14
13 infinity 0.065
14 infinity
s1*
K =-2.98845e-002 
A4 =-1.99708e-002 A6 = 5.25030e-001    A8 =-1.79489e+000 
A10= 2.88669e+000 A12= 0.00000e+000
s4*
K = 1.02673e-001
A4 = 2.47354e-001 A6 = 4.91375e-001    A8 =-2.01725e+000 
A10= 8.23800e+000 A12= 0.00000e+000
s5*
K = 7.26107e+000
A4 = 3.30855e-001 A6 =-2.12706e-001    A8 =-3.78928e+000 
A10= 9.73375e+000 A12=-9.11121e+000
s8*
K =-6.24169e+000 
A4 =-3.14524e-001 A6 = 1.88800e-001    A8 = 2.98153e-002 
A10=-5.92137e-002 A12= 1.50063e-002
s11*
K =-5.65527e+000
A4 =-1.59751e-001 A6 = 3.09534e-002    A8 =-1.55644e-002 
A10= 5.97253e-003 A12=-2.95185e-004
［●実  施  例  ８］（図１６参照）
ｆ[all] 3.590
ｆ[BK1] 2.906
ｆ[BK2] -691.105
ｆ[BK3] -6.318 
Ｆｎｏ     2.880
ω       30.388
Ｙ’     2.240
ＴＬ     4.048 
ＢＦ     0.880 
si r d Nd υd
1 (ape) infinity 0.050
2 infinity -0.150
3* 1.286 0.291 1.52000 57.00
4 infinity 0.500 1.47400 56.40
5 infinity 0.110 1.52000 57.00
6* 6.524 0.362
7* -1.904 0.110 1.52000 57.00
8 infinity 0.500 1.47400 56.40
9 infinity 0.299 1.52000 57.00
10* -2.232 0.351
11* 3.195 0.135 1.52000 57.00
12 infinity 0.500 1.47400 56.40
13 infinity 0.110 1.55000 32.00
14* 1.574 0.491
15 infinity 0.500 1.51633 64.14
16 infinity 0.059
17 infinity
s3*
K = 3.20296e-001
A4 =-8.97949e-003 A6 =-9.89952e-003    A8 =-8.90108e-003 
A10= 1.84459e-002 A12= 0.00000e+000
S6*
K = 2.66973e+001
A4 = 2.78145e-002 A6 =-1.37093e-001    A8 = 5.60951e-001 
A10=-7.99838e-001 A12= 0.00000e+000
S7*
K = 5.01531e+000
A4 = 1.52192e-002 A6 = 1.07159e-002    A8 = 3.55772e-001 
A10=-3.57875e-001 A12= 4.11694e-002
S10*
K = 1.94675e+000
A4 =-4.18269e-002 A6 = 8.65809e-002    A8 = 5.23893e-002 
A10=-1.34577e-004 A12=-1.16270e-002
s11*
K = 1.53342e-001
A4 =-2.91638e-001 A6 = 1.22743e-001    A8 =-3.31126e-003 
A10=-7.41786e-003 A12= 1.18997e-003
s14*
K =-5.66679e+000 
A4 =-8.50750e-002 A6 = 2.80878e-002    A8 =-6.64778e-003 
A10= 8.66315e-004 A12=-2.57527e-005
［■撮像レンズに関する収差ついて］
全実施例である実施例１〜８の撮像レンズＬＮに関する収差は、図９Ａ〜図１６Ｃに示される。収差図では、球面収差（LONGITUDINAL SPHERICAL ABER.）、非点収差（ASTIGMATIC FIELD CURVES）、および歪曲収差（DISTORTION）が示される。【０１０７】
球面収差図は、ｄ線（波長５８７．５６ｎｍ)に対する球面収差量、Ｃ線（波長６５６．２８ｎｍ）に対する球面収差量、ｇ線（波長４３５．８４ｎｍ）に対する球面収差量を、それぞれ近軸像面からの光軸ＡＸ方向のズレ量［単位；ｍｍ］で示す。また、球面収差図における縦軸は、瞳への入射高さをその最大高さで規格化した値（すなわち、相対瞳高さ）を示す。なお、ｄ線、Ｃ線、ｇ線を示す線種は各図を参照するものとする。【０１０８】
非点収差図は、ｄ線に対するタンジェンシャル像面、および、ｄ線に対するサジタル像面を、近軸像面からの光軸ＡＸ方向のズレ量［単位；ｍｍ］で示す。なお、“Ｔ”と付した線がタンジェンシャル像面に対応し、“Ｓ”と付した線がサジタル像面に対応している。また、非点収差図における縦軸は像高(ＩＭＧ ＨＴ)である［単位；ｍｍ］。【０１０９】
歪曲収差図は、横軸がｄ線に対する歪曲［単位；％］を示し、縦軸が像高［単位；ｍｍ］を示す。なお、像高は結像面における最大像高Ｙ’（撮像素子ＳＲの受光面ＳＳの対角長の半分）に相当する。【０１１０】
［■撮像レンズの詳細について］
以上の撮像レンズＬＮの詳細は以下の通りである。【０１１１】
撮像レンズＬＮは、レンズブロックＢＫを含む。そして、このレンズブロックＢＫは、前述した通り、安価に大量生産される。この生産にて、材料の選択肢を増やすべく、例えば、加工しやすい材料または安価な材料を選択可能にすべく（簡易かつ低コストな撮像レンズＬＮを製造すべく）、レンズブロックＢＫは、材質を異ならせたレンズＬとレンズ基板ＬＳとを含む。【０１１２】
さらに、コンパクト化、高性能化（例えば高い収差補正機能）、および低コスト化等の種々のバランスを考慮すると、撮像レンズＬＮは、３つ以上レンズブロックＢＫを含む。【０１１３】
また、撮像レンズＬＮは、図１８Ｂおよび図１８Ｃに示すように、スペーサ部材Ｂ１を介して、レンズ基板ＬＳに多数個成型されたレンズＬを並べたレンズブロックユニットＵＴ同士、さらには、センサーカバーになり得る基板Ｂ２をつなげた後、スペーサ部材Ｂ１に沿う切断で製造される。【０１１４】
そのため、レンズ基板ＬＳが平行平板であると、撮像レンズＬＮの製造過程で、レンズ基板ＬＳに対する加工は簡易または不要になるだけでなく、レンズＬが基板平面に形成されるため安定する。そのため、平行平板のレンズ基板ＬＳだと、撮像レンズＬＮの製造負担が軽減する。【０１１５】
さらに、レンズ基板ＬＳが平行平板であると、基板面とレンズＬとの境界面はパワーを有さない。そのため、例えば、レンズ基板ＬＳの基板面における面精度が、撮像レンズＬＮにおける像面へのピント位置に影響を与えにくい。したがって、撮像レンズＬＮは、高性能を有する。【０１１６】
また、特に、レンズ基板ＬＳとなる平行平板の厚みが、全て同じ厚みであると、撮像レンズＬＮの製造過程にて、レンズ基板ＬＳの研磨条件が同条件となり、低コストで大量にレンズ基板ＬＳが製造され、ひいては、撮像レンズＬＮのコストダウンにもつながる。【０１１７】
また、撮像レンズＬＮにて、第１レンズブロックＢＫ１は正パワーを有し、第２レンズブロックＢＫ２は負パワーを有する。【０１１８】
このようになっていると、第１レンズブロックＢＫ１の正パワーに起因する軸上色収差が、第２レンズブロックＢＫ２の負パワーによって、効率よく補正される。【０１１９】
その上、レンズブロックＢＫ１・ＢＫ２のパワー配置が“正・負”の場合での第２レンズブロックＢＫ２から撮像素子ＳＲまでの間隔は、レンズブロックＢＫ１・ＢＫ２のパワー配置が“正・正”の場合での第２レンズブロックＢＫ２から撮像素子ＳＲまでの間隔に比べて、長くなる。そのため、第２レンズブロックＢＫ２と撮像素子ＳＲとの間隔に、収差補正を担う別のレンズブロック（すなわち、第３レンズブロックＢＫ３）が容易に配置される。【０１２０】
そして、この第３レンズブロックＢＫ３には、第１レンズブロックＢＫ１および第２レンズブロックＢＫ２を通過することで、光軸から離れつつ像高毎に分離される光が到達する。すると、この第３レンズブロックＢＫ３は、分離した光束毎に収差を補正する。したがって、撮像レンズＬＮにて、収差（歪曲収差等）が効率よく補正される。また、歪曲収差が第３レンズブロックＢＫ３によって効率よく補正されるのであれば、その第３レンズブロックＢＫ３は、テレセントリック性確保のための機能も負担可能になる。【０１２１】
また、撮像レンズＬＮでは、以下の条件式（Ｇ１）が満たされる。この条件式（Ｇ１）は、第１レンズブロックＢＫ１の合成焦点距離（焦点距離）を撮像レンズＬＮ全体(全系)の合成焦点距離で規定する。【０１２２】
０．７＜ｆ[BK1]／ｆ[all]＜１．０  …  （Ｇ１）
ただし、
ｆ[BK1] ：第１レンズブロックＢＫ１の合成焦点距離
ｆ[all] ：撮像レンズＬＮ全体の合成焦点距離
である。【０１２３】
条件式（Ｇ１）の値が下限値を下回る場合、第１レンズブロックＢＫ１の焦点距離が比較的短いことになり、この第１レンズブロックＢＫ１の有する正パワーが強大になる。そのため、撮像レンズＬＮの全長は短くなりやすくなるものの、強大な正パワーに起因して、諸収差が発生しやすくなる。【０１２４】
また、第１レンズブロックＢＫ１が強大な正パワーを有する場合、その第１レンズブロックＢＫ１における面精度（例えば、レンズＬ[LS1o]のレンズ面精度、レンズＬ[LS1m]のレンズ面精度）の要求が極めて高くなる。そのため、撮像レンズＬＮの製造が難しくなる（すなわち、撮像レンズＬＮの製造誤差感度が高くなる）。その上、第１レンズブロックＢＫ１が偏心した場合でも、諸収差が発生しやすくなる。【０１２５】
一方、条件式（Ｇ１）の値が上限値を上回る場合、第１レンズブロックＢＫ１の焦点距離が比較的長いことになり、この第１レンズブロックＢＫ１の有する正パワーが弱小になる。そのため、正パワーに起因する諸収差が発生しにくくなるものの、撮像レンズＬＮの全長は長くなりやすい。【０１２６】
以上から、条件式（Ｇ１）の値が下限値から上限値までの範囲に収まれば、撮像レンズＬＮは、諸収差を抑えつつ、製造誤差感度も抑え、さらに、全長までも比較的コンパクトになる。つまり、製造誤差感度の低下から、比較的簡易かつ安価に撮像レンズＬＮが大量に（要は、歩留まりを高くして）製造され、さらに、製造された撮像レンズＬＮは、比較的コンパクトでありながら高性能（例えば高い収差補正機能）を有する。【０１２７】
また、レンズＬ[LS1o]およびレンズＬ[LS1m]を含む撮像レンズＬＮでは、以下の条件式（Ｇ２）が満たされると望ましい。この条件式（Ｇ２）は、第１レンズブロックＢＫ１のシェイプファクタ（Shape Factor）を規定する。【０１２８】
１．０＜（ｒ[L[LS1m]m]＋ｒ[L[LS1o]o]）／（ｒ[L[LS1m]m]−ｒ[L[LS1o]o]）＜４．０
…（Ｇ２）
ただし、
ｒ[L[LS1m]m]  ：レンズＬ[LS1m]における像側レンズ面の曲率半径
ｒ[L[LS1o]o]  ：レンズＬ[LS1o]における物体側レンズ面の曲率半径
である。【０１２９】
条件式（Ｇ２）の値が下限値を下回る場合、レンズＬ[LS1o]の物体側レンズ面が物体側凸面、レンズＬ[LS1m]の像側レンズ面が像側凸面であることを意味する。このようになっていると、いわゆるペッツバール和は比較的大きくなる。さらに、第１レンズブロックＢＫ１における物体側および像側の両側に凸面が位置することで、色収差が補正されにくい。【０１３０】
一方、条件式（Ｇ２）の値が上限値を上回る場合、レンズ[LS1m]の像側レンズ面の曲率半径が過度に短くなり、球面収差が発生しやすくなる。また、このようなレンズ[LS1m]の像側レンズ面であると、軸外収差（コマ収差および非点収差）も発生しやすくなる。【０１３１】
以上から、条件式（Ｇ２）の値が下限値から上限値までの範囲に収まれば、レンズＬ[LS1m]の像側レンズ面は像側凹面となり、レンズＬ[LS1o]の物体側レンズ面の物体側凸面と相まって、ベッツバール和が比較的小さくなる。さらに、色収差も補正される。また、レンズ[LS1m]の像側レンズ面の曲率半径が過度に短くならず、球面収差および軸外収差等が抑制される。その結果、撮像レンズＬＮは、比較的コンパクトでありながら高性能を有する。【０１３２】
なお、第１レンズブロックＢＫ１では、レンズＬ[LS1o]の物体側レンズ面およびレンズＬ[LS1m]の像側レンズ面のうち、少なくとも一方のレンズ面が非球面であると望ましい。このようになっていると、非球面が利用されることで、効率よく球面収差等が補正される。【０１３３】
また、撮像レンズＬＮでは、以下の条件式（Ｇ３）が満たされると望ましい。この条件式（Ｇ３）は、レンズＬ[LS1o]のアッベ数が一定値を超えることを示す。【０１３４】
４０＜ν[L[LS1o]] …  （Ｇ３）
ただし、
ν[L[LS1o]] ：レンズＬ[LS1o]のアッベ数
である。【０１３５】
アッベ数は、材質の分散を示す値であり、波長４８６．１ｎｍ（Ｆ線）の青色の光に対する屈折率ｎＦと波長６５６．３ｎｍ（Ｃ線）の赤色の光に対する屈折率ｎＣとの差分と、波長５８７．６ｎｍ（ｄ線）の黄色の光に対する屈折率と空気の屈折率との差分との比である。そして、このアッベ数が大きいということは、Ｆ線に対する屈折率とＣ線に対する屈折率との差（屈折率差）が小さいことになる。【０１３６】
そのため、条件式（Ｇ３）が満たされると、例えば、全長をコンパクトにするために、レンズＬ[LS1o]のパワーが比較的強くなったとしても、光の波長の差異に起因する軸上色収差が抑制される。その結果、撮像レンズＬＮは、比較的コンパクトでありながら高性能を有する。【０１３７】
なお、条件式（Ｇ３）の条件範囲のなかでも、以下の条件範囲を定めた条件式（Ｇ３ａ）が満たされると望ましい。【０１３８】
５０＜ν[L[LS1o]]＜６５  …  （Ｇ３ａ）
また、撮像レンズＬＮでは、第１レンズブロックＢＫ１におけるレンズＬ[LS1m]の像側レンズ面が像側凹面であり、以下の条件式（Ｇ４）が満たされると望ましい。【０１３９】
１０＜ν[L[LS1m]]＜４０  …  （Ｇ４）
ただし、
ν[L[LS1m]]：  レンズＬ[LS1m]のアッベ数
である。【０１４０】
このようになっていると、例えば、レンズＬ[LS1o]にて補正しきれなかった軸上色収差が、レンズＬ[LS1m]によって補正される。そのため、撮像レンズＬＮは、より高性能を有する。【０１４１】
また、撮像レンズＬＮでは、以下の条件式（Ｇ５）が満たされると望ましい。この条件式（Ｇ５）は、第１レンズブロックＢＫ１の合成焦点距離と第２レンズブロックＢＫ２の合成焦点距離との比率である（ただし、絶対値での比率）。【０１４２】
０．２＜｜ｆ[BK1]／ｆ[BK2]｜＜０．６  …  （Ｇ５）
ただし、
ｆ[BK1] ：第１レンズブロックＢＫ１の合成焦点距離
ｆ[BK2] ：第２レンズブロックＢＫ２の合成焦点距離
である。【０１４３】
条件式（Ｇ５）の値が下限値を下回る場合、例えば、第２レンズブロックＢＫ２の焦点距離が比較的長くなり、その第２レンズブロックＢＫ２のパワーが弱まる。すると、このような第２レンズブロックＢＫ２は、第１レンズブロックＢＫ１の正パワーに起因する諸収差（球面収差および像面湾曲収差等）を補正しきれない。【０１４４】
一方、条件式（Ｇ５）の値が上限値を上回る場合、例えば、第２レンズブロックＢＫ２の焦点距離が比較的短くなり、その第２レンズブロックＢＫ２のパワーが強まる。すると、このような第２レンズブロックＢＫ２は、第１レンズブロックＢＫ１の正パワーに起因する諸収差を過剰補正しかねない。【０１４５】
また、第２レンズブロックＢＫ２のパワーが強すぎると、その第２レンズブロックＢＫ２から撮像素子ＳＲまで間隔が狭小になる。すると、第３レンズブロックＢＫ３は、その狭小の間隔に位置しなくてはならず、薄いレンズブロックにならざるを得ない。そのため、このような第３レンズブロックＢＫ３の製造は難しくなり、ひいては撮像レンズＬＮの製造誤差感度までも高まってしまう（要は、撮像レンズＬＮが高い収差補正機能を持てない）。【０１４６】
第３レンズブロックＢＫ３がレンズ基板と基板面に連なるレンズで構成された場合、通常レンズより厚くなるので、レンズを配置するスペースがより大きな問題となる。条件式（Ｇ５）は、レンズ基板と基板面に連なるレンズで構成されたレンズブロックの厚さを考慮して導いたものである。【０１４７】
以上から、条件式（Ｇ５）の値が下限値から上限値までの範囲に収まれば、撮像レンズＬＮにて、諸収差が適切に補正され、さらに、第３レンズブロックＢＫ３が過剰に薄くならず、撮像レンズＬＮの製造誤差感度も低くなる。つまり、比較的簡易かつ安価に撮像レンズＬＮが大量に製造され、さらに、製造された撮像レンズＬＮは、比較的コンパクトでありながら高性能を有する。【０１４８】
また、撮像レンズＬＮでは、レンズＬ[LS2o]の物体側レンズ面は、物体側凹面であり、さらに、以下の条件式（Ｇ６）が満たされると望ましい。この条件式（Ｇ６）は、レンズＬ[LS2o]の物体側レンズ面の曲率半径を撮像レンズ全体の合成焦点距離で規定する。【０１４９】
０．４＜｜ｒ[L[LS2o]o]／ｆ[all]｜＜２．０  …（Ｇ６）
ただし、
ｒ[L[LS2o]o]  ：レンズＬ[LS2o]における物体側レンズ面の曲率半径
ｆ[all] ：撮像レンズＬＮ全体の合成焦点距離
である。【０１５０】
条件式（Ｇ６）の値が下限値を下回る場合、レンズＬ[LS2o]の物体側レンズ面の曲率半径が短すぎ、そのレンズＬ[LS2o]の製造が難しくなる。また、ひいては撮像レンズＬＮの製造誤差感度までも高まってしまう。【０１５１】
一方、条件式（Ｇ６）の値が上限値を上回る場合、レンズＬ[LS2o]の物体側レンズ面の曲率半径が長すぎ、そのレンズＬ[LS2o]は十分なパワーを有せず、色収差を補正しきれない。また、ペッツバール和という観点から、例えば、レンズＬ[LS1o]における物体側レンズ面の物体側凸面の焦点距離と、レンズＬ[LS2o]における物体側レンズ面の物体側凹面の焦点距離とが相殺する関係になるものの、レンズＬ[LS2o]における物体側レンズ面の物体側凹面の焦点距離が長すぎ、ペッツバール和の値がゼロになりにくい。【０１５２】
以上から、条件式（Ｇ６）の値が下限値から上限値までの範囲に収まれば、撮像レンズＬＮにて、色収差補正に要するパワーを確保しつつペッツバール和が小さくなり、さらに、レンズＬ[LS2o]の製造誤差感度も低くなる（ひいては、撮像レンズＬＮの製造誤差感度も低くなる）。つまり、比較的簡易かつ安価に撮像レンズＬＮが大量に製造され、さらに、製造された撮像レンズＬＮは、高性能を有する。【０１５３】
なお、条件式（Ｇ６）の条件範囲のなかでも、以下の条件範囲を定めた条件式（Ｇ６ａ）が満たされると望ましい。【０１５４】
０．８＜｜ｒ[L[LS2o]o]／ｆ[all]｜＜２．０  …（Ｇ６ａ）
また、撮像レンズＬＮでは、第２レンズブロックＢＫ２は、第２レンズ基板ＬＳ２の物体側基板面のみに、レンズＬ（レンズＬ[LS2o]）を連ねると望ましい。【０１５５】
このようなっていると、第２レンズブロックＢＫ２の像側面は、第２レンズ基板ＬＳ２の像側基板面の平面となる。すると、この第２レンズブロックＢＫ２が偏心したとしても、平面である像側面に起因して、撮像素子ＳＲに到達する光学像に与える影響は抑えられる。【０１５６】
また、撮像レンズＬＮにて、最も像側に位置するレンズブロックＢＫ（例えば第３レンズブロックＢＫ３）では、レンズ基板ＬＳの像側基板面に連なるレンズＬの像側レンズ面が、像側凹面であると望ましい。特に、その像側凹面が、レンズ面内に変曲点を有すると望ましい。【０１５７】
変曲点を持つレンズ面の一例としては、そのレンズ面での面頂点を凹状にするとともに、そのレンズ面にて最大像高の主光線と交わる部分を凸状にしたレンズ面が挙げられる。つまり、近軸光線に交わる付近のレンズ面の一部が凹状になり、レンズ面の周縁が凸状になっている。【０１５８】
このような非球面のレンズ面は、撮像素子ＳＲの周縁に向かって発散しつつ進行しようとする光束を収束させる。そのため、この撮像レンズＬＮでは、歪曲収差が抑制されつつテレセントリック性も確保される。【０１５９】
また、撮像レンズＬＮでは、以下の条件式（Ｇ７）が満たされると望ましい。この条件式（Ｇ７）は、第３レンズブロックＢＫ３の合成焦点距離を撮像レンズＬＮ全体の合成焦点距離で規定する。【０１６０】
２．０＜ｆ[BK3]／ｆ[all]＜１５．０  …  （Ｇ７）
ただし、
ｆ[BK3] ：第３レンズブロックＢＫ３の合成焦点距離
ｆ[all] ：撮像レンズＬＮ全体の合成焦点距離
である。【０１６１】
条件式（Ｇ７）の値が下限値を下回る場合、第３レンズブロックＢＫ３の焦点距離が比較的短いことになり、この第３レンズブロックＢＫ３の有するパワーが強大になる。そのため、撮像レンズＬＮの全長は短くなりやすくなるものの、強大なパワーに起因して、諸収差が発生しやすくなる。【０１６２】
また、第３レンズブロックＢＫ３が強大なパワーを有する場合、その第３レンズブロックＢＫ３における面精度（例えば、レンズＬ[LS3o]のレンズ面精度、レンズＬ[LS3m]のレンズ面精度）の要求が極めて高くなる。そのため、撮像レンズＬＮの製造が難しくなる。その上、第３レンズブロックＢＫ３が偏心した場合でも、諸収差が発生しやすくなる。【０１６３】
また、第３レンズブロックＢＫ３のパワーが強すぎると、その第３レンズブロックＢＫ３から撮像素子ＳＲまで間隔が狭小になる。すると、例えば、第３レンズブロックＢＫ３の像側に第４レンズブロックＢＫ４が位置する場合、この第４レンズブロックＢＫ４は狭小の間隔に位置しなくてはならず、薄いレンズブロックにならざるを得ない。そのため、このような第４レンズブロックＢＫ４の製造は難しくなり、ひいては撮像レンズＬＮの製造誤差感度までも高まってしまう。【０１６４】
また、撮像素子ＳＲに、カバーガラス（平行平板ＰＴ）が装着される場合、そのカバーガラスが、第３レンズブロックＢＫ３から撮像素子ＳＲまで間隔に位置することになる。すると、第３レンズブロックＢＫ３から撮像素子ＳＲまで間隔が狭小であると、カバーガラスが過剰に薄くならざるを得ない。そのため、撮像レンズＬＮの製造が難しくなる。【０１６５】
一方、条件式（Ｇ７）の値が上限値を上回る場合、第３レンズブロックＢＫ３の焦点距離が比較的長いことになり、この第３レンズブロックＢＫ３の有するパワーが弱小になる。そのため、パワーに起因する諸収差が発生しにくくなるものの、撮像レンズＬＮの全長は長くなりやすい。【０１６６】
以上から、条件式（Ｇ７）の値が下限値から上限値までの範囲に収まれば、撮像レンズＬＮは、諸収差を抑えつつ、製造誤差感度も抑え、さらに、全長までも比較的コンパクトになる。【０１６７】
また、撮像レンズＬＮでは、以下の条件式（Ｇ８）が満たされると望ましい。この条件式（Ｇ８）は、撮像レンズＬＮの光学全長でレンズブロックＢＫ間における空気間隔の総和を規定する。【０１６８】
Ａｒ／ＴＬ＜０．４  …  （Ｇ８）
ただし、
ＴＬ      ：撮像レンズＬＮにて最も物体側の面から結像面に至るまでの長さ
Ａｒ      ：撮像レンズＬＮにて、隣り合うレンズブロックＢＫ同士の空気間隔の総和（ただし、レンズブロックＢＫを除くパワーを有さない光学素子の厚みは、空気換算した後、空気間隔に含む）
である。【０１６９】
条件式（Ｇ８）を満たすコンパクトな撮像レンズＬＮは、撮像素子ＳＲと一体化したコンパクトなモジュール（カメラモジュール）となる。そして、このカメラモジュールは、ペースト状のハンダの印刷されたプリント基板（回路基板）に取り付けられた後、加熱処理（リフロー処理）されることで、そのプリント基板に実装される。【０１７０】
このような実装過程におけるリフロー処理では、撮像レンズＬＮは、３００℃近く（２５０〜２８０℃程度）の環境下に置かれる。すると、図１８Ｃに示すように、スペーサ部材Ｂ１を介して密閉されるレンズブロックＢＫ間の空気は膨張する。このような空気膨張が過剰に起きてしまうと、レンズブロック同士が乖離し、撮像レンズＬＮが破損しかねない。【０１７１】
そこで、このような撮像レンズＬＮの破損を防止すべく、撮像レンズＬＮは、条件式（Ｇ８）を満たすと望ましい。つまり、撮像レンズＬＮにおける空気間隔は極力短いと望ましい。【０１７２】
また、撮像レンズＬＮでは、以下の条件式（Ｇ９）が満たされると望ましい。この条件式（Ｇ９）は、第１レンズ基板ＬＳ１の屈折率とレンズＬ[LS1m]の屈折率との比であり、要は、レンズＬ[LS1m]の屈折率が、第１レンズ基板ＬＳ１の屈折率より大きいことを示す。【０１７３】
Ｎ[LS1]／Ｎ[L[LS1m]]＜１  …  （Ｇ９）
ただし、
Ｎ[LS1] ：第１レンズ基板ＬＳ１の屈折率
Ｎ[L[LS1m]] ：レンズＬ[LS1m]の屈折率
である。【０１７４】
このようになっていると、第１レンズ基板ＬＳ１を通過してきた光がレンズＬ[LS1m]に入射する場合に、全反射が起きない。そのため、全反射した光（不要光）に起因するゴーストおよびフレアが発生しない。【０１７５】
特に、比較的物体側に近い位置で光が反射し、その反射光（不要光）が撮像素子ＳＲに到達してしまうと、撮像素子ＳＲの受光面全体に不要光が広がってしまう。このような不要光は、撮像画像のコントラスト低下の一因になる。しかしながら、不要光の発生が抑制されれば、このような問題も起きにくくなり、撮像画像は高画質となる。【０１７６】
ところで、以上のような撮像レンズＬＮに含まれるレンズブロックＢＫの個数は、特に限定されない。しかしながら、合計で３個のレンズブロックＢＫが撮像レンズＬＮに含まれると望ましい。【０１７７】
通常、レンズブロックＢＫの個数が多いほど、レンズブロックＢＫ毎の光軸が調整されなくてはならない。そのため、レンズブロックＢＫの個数が多ければ多いほど、撮像レンズＬＮの製造は煩わしくなり、大量生産されにくくなる。しかしながら、３つのレンズブロックＢＫを含む撮像レンズＬＮは、４つのレンズブロックＢＫを含む撮像レンズＬＮに比べて、製造負担が軽いので、大量生産されやすい。【０１７８】
また、撮像レンズＬＮでは、開口絞りａｐｅが、第１レンズ基板ＬＳ１の物体側基板面および像側基板面のいずれか一方の基板面に形成されると望ましい。【０１７９】
このように第１レンズ基板ＬＳ１の基板面に開口絞りａｐｅが形成される場合、通常、レンズＬ（レンズＬ[LS1o]またはレンズ[LS1m]）とレンズ基板ＬＳとの境界に位置する。
そして、このような境界に形成される開口絞りａｐｅは、塗布または真空蒸着で形成される。【０１８０】
すると、撮像レンズＬＮにて、開口絞りａｐｅ専用のスペースは不要になる。また、ＩＲ（Infrared rays）カットコートまたはＡＲ（Anti-Reflection）コートが第１レンズ基板ＬＳ１に対して蒸着等で形成される場合に、同時に、開口絞りａｐｅが形成され得る。そのため、撮像レンズＬＮの製造負担が軽減する。【０１８１】
なお、特に、開口絞りａｐｅが、第１レンズ基板ＬＳ１の物体側基板面に形成されると、撮像レンズＬＮにて、比較的物体側に位置することになるので、射出瞳の位置が撮像素子ＳＲから離れる。すると、テレセントリック性が確保され、撮像レンズＬＮにて望ましいといえる。【０１８２】
また、撮像レンズＬＮでは、開口絞りａｐｅが、第１レンズブロックＢＫ１よりも物体側または像側に位置すると望ましい。【０１８３】
このように開口絞りａｐｅが、第１レンズブロックＢＫ１よりも物体側または像側に位置すると（ただし、第２レンズブロックＢＫ２よりも物体側）、撮像レンズＬＮにて、比較的物体側に位置することになるので、射出瞳の位置が撮像素子ＳＲから離れる。すると、テレセントリック性が確保され、撮像レンズＬＮにて望ましいといえる。【０１８４】
また、このような開口絞りａｐｅを通過した光は、第１レンズブロックのパワーによって、光軸から離れつつ像高毎に分離される。すると、第２レンズブロックＢＫ２および第３レンズブロックＢＫ３は、分離した光束毎に収差を補正する。したがって、撮像レンズＬＮにて、収差（歪曲収差等）が効率よく補正される。すなわち、撮像素子ＳＲ（像面）から離れた位置に開口絞りａｐｅがあれば、テレセントリック性および収差補正がともに向上する。【０１８５】
なお、特に、開口絞りａｐｅは、第１レンズブロックＢＫ１よりも物体側に位置すると望ましい（例えば、実施例８参照）。このようになっていれば、開口絞りａｐｅが撮像レンズＬＮの枠体と一体成型可能になり、撮像レンズＬＮのコストダウンにつながる。【０１８６】
ここで、以下に全ての実施例（実施例１〜８）における条件式（Ｇ１〜Ｇ９）の結果を示す。ただし、“×”または下線は条件式を満たさないことを意味する。【０１８７】
実施例  １    ２    ３    ４    ５    ６    ７    ８
(Ｇ１) 0.85 0.81 0.79 0.84 0.84 0.90 0.95 0.81
(Ｇ２) 2.28 1.68 2.19 0.67 2.40 3.51 2.65 1.49
(Ｇ３) 57.0 57.0 57.0 57.0 57.0 57.0 57.0 57.0
(Ｇ４) 32.0 × 32.0 × × × × ×
(Ｇ５) 0.49 × 0.34 0.04 0.54 0.24 0.53 ×
(Ｇ６) 0.86 0.51 0.68 0.42 0.80 1.96 0.72 0.53
(Ｇ７) 10.96 -1.62 -4.96 -2.85 5.74 -4.48 3.07 -1.76
(Ｇ８) 0.15 0.21 0.15 0.22 0.14 0.22 0.20 0.18
(Ｇ９) 0. 948 0.970 0.948 0.998 0.970 0.970 0.970 0.970
［実施の形態２］
実施の形態２について説明する。なお、実施の形態１で用いた部材と同様の機能を有する部材については同一の符号を付記し、その説明を省略する。この実施の形態では、レンズＬを形成する樹脂について説明する。【０１８８】
樹脂は、加工性に優れている。そのため、実施の形態１で列挙してきたレンズＬが樹脂で形成される場合、金型等で簡易に非球面のレンズ面が形成される。【０１８９】
ただし、通常、透明な樹脂（ポリメチルメタクリレート等）に微粒子が混合すると、樹脂内に光の散乱が生じ、透過率が低下する。そのため、微粒子を含有する樹脂は、光学材料として不向きといえる。【０１９０】
また、樹脂は、温度に依存して屈折率を変える。例えば、以下のローレンツ・ローレンツの式（ＬＬ）で、ポリメチルメタクリレート（ＰＭＭＡ）の屈折率の温度依存性、すなわち、温度に依存する屈折率変化（ｄｎ／ｄｔ）を求めてみる。【０１９１】
【数ＬＬ】
2009104669.tif 000003
【０１９２】
ただし、
ｎ   ：樹脂の屈折率
ｔ   ：温度
α   ：線膨張係数（なお、ＰＭＭＡの場合、α＝７×１０-5である）
［Ｒ］ ：分子屈折
である。【０１９３】
すると、ＰＭＭＡの場合、屈折率変化が“−１．２×１０-4［／℃］”となる。この数値は実測値とほぼ一致する。したがって、樹脂（プラスチック）だけでレンズＬが形成されると、そのレンズＬの有する屈折率変化は、温度に依存せざるを得ない。その上、このような樹脂に単純に微粒子を混在させてレンズＬが形成されると、そのレンズＬは光を散乱させるだけでなく、温度に応じて屈折率を変えることになる。【０１９４】
しかしながら、最近、樹脂が適切に設計された微粒子を含むことで、光学材料として使用可能であることがわかってきた。なぜなら、微粒子を含有する樹脂（混合樹脂）では、その微粒子の粒径が透過光束の波長より小さくなっていると、光の散乱が発生しない。【０１９５】
その上、微粒子が無機微粒子であると、その無機微粒子は温度上昇にともなって屈折率を上昇させる。そのため、混合樹脂にて、温度上昇にともなった樹脂の屈折率低下と、温度上昇にともなった無機微粒子の屈折率上昇とが同時に発生する。すると、両方の温度依存性（屈折率低下・屈折率上昇）が相殺され、その結果、混合樹脂の屈折率変化が温度に依存して起きにくくなる（例えば、レンズＬにて、面形状変化に起因する近軸像点位置への影響とほぼ同程度に、屈折率変化が抑えられる）。【０１９６】
なお、以上の一例となる混合樹脂としては、樹脂（母材）に最大長３０ｎｍ以下の無機微粒子｛子材；酸化アルミニウム（Ａｌ2Ｏ3）、ニオブ酸リチウム（ＬｉＮｂＯ3）、等｝を分散させた混合樹脂が挙げられる。【０１９７】
以上を踏まえると、レンズＬが３０ｎｍ以下の無機微粒子を分散させた樹脂（混合樹脂）で形成されると、そのレンズＬを含む撮像レンズＬＮは、温度に対して高い耐久性を有する。また、例えば、混合樹脂における樹脂と無機微粒子との比率、無機微粒子の粒径の長さ（例えば、最大長２０ｎｍ以下、さらに望ましくは１５ｎｍ以下）、母材となる樹脂の種類、および子材となる無機微粒子の種類、が適切に調整されると、レンズＬが高屈折率を有する。すると、混合樹脂でレンズＬが形成されると、そのレンズＬを含む撮像レンズＬＮがコンパクトになったり、レンズＬの成形難易度が低減したりする。【０１９８】
なお、以上のような樹脂は硬化型樹脂であると望ましい。なぜなら、このような硬化型樹脂であれば、金型等によって、簡易に非球面を含むレンズＬが製造されるためである。また、樹脂に接着性があれば（または樹脂に接着剤が混在していれば）、その樹脂製のレンズＬはレンズ基板ＬＳに容易に接合する。つまり、直接接着されたレンズ基板ＬＳおよびレンズＬを含むレンズブロックＢＫブロックが簡単に製造される。【０１９９】
さらに、以上のような樹脂が耐熱性を有するとよい。例えば、撮像レンズＬＮおよび撮像素子ＳＲを一体化したモジュール（カメラモジュール）は、ペースト状のハンダの印刷されたプリント基板（回路基板）に取り付けられた後、加熱処理（リフロー処理）されることで、そのプリント基板に実装される。特に、このような実装はオートメーションで行われる。すると、レンズＬが耐熱性の硬化型樹脂であれば、リフロー処理に耐えられるので、オートメーションに適する（もちろん、レンズ基板ＬＳも耐熱性の高い材料、例えば、ガラスだと望ましい）。【０２００】
なお、硬化型樹脂の一例としては、熱硬化型樹脂および紫外線（ＵＶ）硬化型樹脂が挙げられる。【０２０１】
そして、熱硬化型樹脂の場合、レンズＬが比較的厚かったとしても、精度よく製造される。また、ＵＶ硬化型樹脂の場合、比較的短時間で硬化するため、レンズＬが短時間で製造される。【０２０２】
最後に、本発明は上記の実施の形態に限定されず、本発明の趣旨を逸脱しない範囲で、種々の変更が可能である。
【図１】
2009104669.tif 000004
【図２】
2009104669.tif 000005
【図３】
2009104669.tif 000006
【図４】
2009104669.tif 000007
【図５】
2009104669.tif 000008
【図６】
2009104669.tif 000009
【図７】
2009104669.tif 000010
【図８】
2009104669.tif 000011
【図９】
2009104669.tif 000012
【図１０】
2009104669.tif 000013
【図１１】
2009104669.tif 000014
【図１２】
2009104669.tif 000015
【図１３】
2009104669.tif 000016
【図１４】
2009104669.tif 000017
【図１５】
2009104669.tif 000018
【図１６】
2009104669.tif 000019
【図１７】
2009104669.tif 000020
【図１８】
2009104669.tif 000021
【国際調査報告】
2009104669.tif 000022
2009104669.tif 000023
2009104669.tif 000024
2009104669.tif 000025